(57)【要約】      （修正有）【課題】物品に付された無線タグを一括して読み取るとともに、その検体の位置を把握する。【解決手段】物品２００に付され、外部信号を入力する入力部、及び、識別番号と共に外部信号情報を記憶する記憶部を有する無線タグ３００を用いて、物品２００の位置を把握する物品位置把握システム１０において、このシステムは、物品を既知の位置に支持する支持部２２を有している。このシステムは、支持部２２に対応して設けられ、物品２００に近接配置される近接配置部、近接配置部に設けられ、入力部を介して記憶部に外部信号情報を入力可能である外部入力部を有する外部入力制御装置１００を備えている。このシステムは、識別番号及び外部信号情報を読み取る無線通信装置４０と、この無線通信装置４０からの出力に基づき、物品の位置を特定する情報処理端末５０を備えている。【選択図】図１
2018028488.tif 000002
【特許請求の範囲】
【請求項１】
複数の支持部にそれぞれ支持された複数の物品にそれぞれ付され、外部信号を入力可能である入力部、及び、識別番号と共に前記外部信号の入力情報を記憶可能である記憶部を有する無線タグに前記外部信号を入力する外部入力制御装置において、
前記複数の支持部にそれぞれ対応して設けられ、前記複数の物品にそれぞれ近接配置される近接配置部と、
これら近接配置部にそれぞれ設けられ、前記無線タグの入力部を介して前記無線タグの記憶部に前記外部信号情報を入力する外部入力部とを備え、
前記複数の外部入力部を個別に制御可能な外部入力制御装置。
【請求項２】
前記近接配置部は、前記支持部に着脱自在に設けられている請求項１に記載の外部入力制御装置。
【請求項３】
前記外部入力部は、前記無線タグに設けられた入力端子を導通させることで、前記外部信号情報を入力させる請求項１に記載の外部入力制御装置。
【請求項４】
複数の物品にそれぞれ付され、外部信号を入力可能である入力部、及び、識別番号と共に前記外部信号情報を記憶可能である記憶部を有する無線タグを用いて、前記物品の位置を把握する物品位置把握システムにおいて、
前記複数の物品を既知の位置にそれぞれ支持する支持部と、
前記複数の支持部にそれぞれ対応して設けられ、前記複数の物品にそれぞれ近接配置される近接配置部、これら近接配置部にそれぞれ設けられ、前記無線タグの入力部を介して前記無線タグの記憶部に前記外部信号情報を入力する外部入力部を有する外部入力制御装置と、
前記無線タグの前記識別番号及び前記外部信号情報を読み取る無線通信装置と、
この無線通信装置からの出力に基づき、前記識別番号及び前記外部信号情報を有する前記無線タグが付された前記物品の位置を特定する情報処理端末とを備えている物品位置把握システム。
【請求項５】
複数の物品にそれぞれ付され、外部信号を入力可能である入力部、及び、識別番号と共に前記外部信号情報を記憶可能である記憶部を有する無線タグを用いて、前記物品の位置を把握する物品位置把握方法において、
前記複数の物品を前記位置情報が付加された支持部にそれぞれ支持し、
前記複数の支持部にそれぞれ支持された前記複数の物品にそれぞれ近接配置し、前記無線タグの入力部を介して前記無線タグの記憶部に前記物品を支持する前記支持部に付加された前記外部信号情報を入力し、
前記記憶部から前記無線タグの前記識別番号及び前記外部信号情報を読み取り、
読み取られた前記識別番号及び前記外部信号情報を有する前記無線タグが付された前記物品について、位置を特定する物品位置把握方法。
【発明の詳細な説明】
【技術分野】
【０００１】
本発明の実施形態は、物品に付された無線タグを一括して読み取るとともに、その物品の位置を把握することが可能な物品位置把握システム及びこの物品位置把握システムに用いられる外部入力制御装置並びに物品位置把握方法に関する。
【背景技術】
【０００２】
病院等で患者の血液検査を行う場合、採血室で採血を行った後、血液（検体）を収容した検体容器を複数本まとめて検体ラックに入れる。その後、分析室に運び、分析室で各種の分析を行う。この際、血液が採取された患者と検体とを紐付けるため、検体容器にバーコードを付している。検体ラックを各部屋間で移動させる際には、バーコードを読み取って検体の照合を行い、紛失防止の措置が取られている。
【０００３】
近年はバーコードの代わりに検体容器にＲＦＩＤタグ等の無線タグを付し、無線タグリーダを用いて管理する手法が取り入れられている。この手法によれば、数本から数十本の検体容器に付された無線タグを一括して読取ることが出来るため、短時間での照合が可能である。しかし、実際には無線タグの読み落としが発生する場合があり、その際には改めて各検体容器に付された無線タグを１つずつ読み取る必要がある。
【０００４】
このような問題は、読み取れなかった無線タグの検体ラック内での位置を何らかの方法で把握できれば解決できる。すなわち無線タグの読み落としが発生しても、当該位置にある検体容器に付された無線タグだけ改めて読み取れば済むため、作業を簡略化できる。このため、無線タグの読取りと検体容器の位置とを紐づけて把握できる検体ラック装置が求められている。この装置は、検体ラックの検体容器収容部のそれぞれに無線タグリーダを設け、この無線タグリーダによる無線タグの読取り情報と読取った無線タグリーダの位置情報とを紐づけることで、検体容器の位置情報を把握する。このような装置であれば、検体容器があるにも関わらず何らかの原因で無線タグリーダによる読み取りが行われなかった場合は、その無線タグリーダのみ、再度読み取り動作を行えば良く、作業が大幅に簡略化できる。
【０００５】
しかしながら、上述した検体ラック装置では、検体収容数と同数の無線タグリーダが必要になり、装置が高額になるとともに重量も増えるため、搬送用の検体ラックとして使用するには適切では無い。また、軽量化のために、読み取り用の検体ラックと搬送用の検体ラックとを別々にするすることが考えられるが、そうした場合には、読み取り前後に検体の移し替え作業が発生し、作業員の負担を増加させることになる。
【０００６】
このため、安価であり、一般に用いられている検体ラックを使用したまま、検体の照合及び検体位置を把握できる装置が望まれている。
【先行技術文献】
【特許文献】
【０００７】
【特許文献１】特開２００４−２７１２９９号公報
【発明の概要】
【発明が解決しようとする課題】
【０００８】
本発明が解決しようとする課題は、物品に付された無線タグを一括して読み取るとともに、その物品の位置を把握することが可能な物品位置把握システム及びこの物品位置把握システムに用いられる外部入力制御装置並びに物品位置把握方法を提供することである。
【課題を解決するための手段】
【０００９】
実施形態によれば、複数の物品にそれぞれ付され、外部信号を入力可能である入力部、及び、識別番号と共に前記外部信号の入力状況を記憶可能である記憶部を有する無線タグを用いて、前記物品の位置を把握する物品位置把握システムにおいて、このシステムは、前記複数の物品を既知の位置にそれぞれ支持する支持部を有している。このシステムは、前記複数の支持部にそれぞれ対応して設けられ、前記複数の物品にそれぞれ近接配置される近接配置部、これら近接配置部にそれぞれ設けられ、前記無線タグの入力部を介して外部信号の入力状況を変更する外部入力制御装置を備えている。このシステムは、前記無線タグの前記識別番号及び前記外部信号の入力状況を読み取る無線通信装置と、この無線通信装置からの出力に基づき、前記識別番号及び前記外部信号の入力情報を有する前記無線タグが付された前記物品の位置を特定する情報処理端末を備えている。
【図面の簡単な説明】
【００１０】
【図１】本実施形態にかかる物品位置把握システムの構成を示す説明図。
【図２】本実施形態における外部入力機能付きの無線タグが貼り付けられた検体容器を示す正面図。
【図３】本実施形態における外部入力機能付きの無線タグを示す正面図。
【図４】本実施形態における外部入力機能付きの無線タグのメモリ構造を示す説明図。
【図５】本実施形態における外部入力制御装置を示す斜視図。
【図６】本実施形態における外部入力制御装置の各間仕切り位置を示す説明図。
【図７】本実施形態における物品位置把握システムのブロック図。
【図８】本実施形態における外部入力値変更装置を示す斜視図。
【図９】本実施形態における物品位置把握システムの動作の一例を示すフローチャート。
【図１０】本実施形態における無線タグの読取り結果の例を示す説明図。
【図１１】本実施形態における物品位置把握システムの動作の別の例を示すフローチャート。
【図１２】本実施形態における、無線タグの読取り結果の例を示す説明図。
【図１３】本実施形態における外部入力値変更装置の変形例を示す斜視図。
【図１４】本実施形態における外部入力値変更装置の変形例を示す斜視図。
【図１５】本実施形態にかかる物品位置把握システムの別の構成を示す説明図。
【図１６】本実施形態にかかる物品位置把握システムの別の構成を示す説明図。
【図１７】本実施形態にかかる物品位置把握システムの別の構成を示す説明図。
【発明を実施するための形態】
【００１１】
以下、本実施形態について、図面を参照しながら説明する。
【００１２】
図１は、本実施形態にかかる外部入力制御装置１００が組み込まれた物品位置把握システム１０の構成を示す説明図である。この物品位置把握システム１０は、例えば、病院等の検体分析室に設置されて検体等の位置情報を管理する目的で使用される。図１中２００は検体容器、３００は外部入力機能付きの無線タグを示しており、各検体容器２００には無線タグ３００が貼付されている。なお、本実施形態における位置情報とは、例えば、ｍ行ｎ列に位置しているという直接的な情報と、既知の位置（ｍ行ｎ列）との関連性を有するという間接的な情報の少なくとも一方を意味している。
【００１３】
物品位置把握システム１０は、複数本の検体容器２００を収容する検体ラック２０と、この検体ラック２０の下部に配置され無線タグ３００からの信号を読み取るアンテナ装置３０と、アンテナ装置３０に接続された無線通信装置４０と、読取動作や表示の制御をし、無線通信装置４０で受信された信号を処理する情報処理端末５０と、検体ラック２０の上部に着脱自在に取り付けられる外部入力制御装置１００とを備えている。
【００１４】
なお、アンテナ装置３０と無線通信装置４０はケーブル（制御線）６０、無線通信装置４０と情報処理端末５０とはケーブル（制御線）６１、外部入力制御装置１００と情報処理端末５０とはケーブル（制御線）６２によって接続されている。ケーブル６０，６１，６２としては、例えばＬＡＮケーブル、ＵＳＢケーブル、同軸ケーブル等が用いられる。
【００１５】
検体ラック２０は、矩形状の箱体２１と、この箱体２１内に６行５列で設けられ、検体容器２００の下部を支持する支持部２２を３０個所備えている。なお、支持部２２は、検体容器２００に貼付された無線タグ３００が露出するような寸法で形成されている。
【００１６】
図２に示すように、検体容器２００は、血液等の検体を収容する容器本体２０１と、この容器本体２０１の開口部を閉塞するキャップ２０２を備えている。容器本体２０１の外面には無線タグ３００が貼付されている。無線タグ３００は、固有の識別番号が設定されるとともに、情報の記録及び書き換えが可能なメモリエリアを有し、無線を利用して非接触で識別番号の読み出しや任意の情報の書き込み及び読み出しができる。
【００１７】
図３に示すように、無線タグ３００は、容器本体２０１に貼り付けられるシール状のベース部３１０と、このベース部３１０上に設けられたＩＣチップ３２０と、このＩＣチップ３２０に接続されたアンテナ３３０と、ＩＣチップ３２０に接続された入力部３４０とを備えている。入力部３４０は、一対の外部入力端子３４１，３４２を備えている。なお、外部入力端子３４１，３４２は、容器本体２０１を基準として周方向に離間して配設されている。この他、外部入力端子３４１，３４２が、軸方向に離間して配設されているものもある。外部入力制御装置１００の構成によって適切なものを使用する必要がある。
【００１８】
図４はＩＣチップ３２０のメモリ構造を示している。なお、ここではＥＰＣｇｌｏｂａｌ  Ｃｌａｓｓ１  Ｇｅｎｅｒａｔｉｏｎ２に準拠したＵＨＦ帯のＲＦＩＤを参考に説明する。メモリは、４つのメモリバンクで構成される。図４中３２１はＢａｎｋ００  ＲＥＳＥＲＶＥＤメモリ、３２２はＢａｎｋ０１  ＥＰＣメモリ、３２３はＢａｎｋ１０  ＴＩＤメモリ、３２４はＢａｎｋ１１  ＵＳＥＲメモリを示している。さらに、Ｂａｎｋ０１  ＥＰＣメモリ３２２には、ＥＰＣ領域３２２ａ、ＰＣ領域３２２ｂ、ＣＲＣ領域３２２ｃを有している。識別番号はＢａｎｋ０１  ＥＰＣメモリ３２２へ格納される。入力部３４０へ入力された外部信号の入力状況情報は、Ｂａｎｋ０１  ＥＰＣメモリ３２２へ格納されるか、またはＢａｎｋ１１のＵＳＥＲメモリ３２４へ格納される。
【００１９】
図５は、外部入力制御装置１００を示す斜視図である。外部入力制御装置１００は検体ラック２０に着脱自在に設けられている。外部入力制御装置１００は、矩形状の枠体１１０と、この枠体１１０内に縦横に仕切る仕切壁１１１とを備えている。仕切壁１１１は枠体１１０内を６行５列に仕切ることで、前述した検体ラック２０の支持部２２にそれぞれ対応した凹部（近接配置部）１１２が形成されている。すなわち、外部入力制御装置１００には、検体ラック２０の支持部２２に収容された検体容器２００の上部を覆う凹部１１２が３０個形成されている。各凹部１１２は、外部入力制御装置１００を検体ラック２０に取り付けることで、検体ラック２０に支持された検体容器２００に近接配置されることになる。各凹部１１２内には外部入力値変更装置１２０が設けられている。
【００２０】
図６は外部入力制御装置１００の各間仕切り位置を示す説明図である。各凹部１１２については、Ｍ行Ｎ列のポイント（ｍ，ｎ）で位置情報が設定されている。
【００２１】
図７は物品位置把握システム１０における無線通信装置４０、情報処理端末５０、及び、外部入力制御装置１００の制御ブロック図を示している。図７に示すように、無線通信装置４０は、ＣＰＵ（Central Processing Unit）、ＲＯＭ（Read Only Memory）及びＲＡＭ（Random Access Memory）等から成るコンピュータ構成の制御部４１を備える。ＲＯＭは、ＣＰＵが実行する各種プログラムや各種データを記憶する。ＲＡＭは、ＣＰＵが各種プログラムを実行する際に一時的にデータやプログラムを記憶するものである。
【００２２】
また、制御部４１には、各種の入出力回路（図示せず）を介して、リーダライタ部４２、通信インターフェース４３等が接続される。
【００２３】
リーダライタ部４２は、制御部４１からの指示の下に、アンテナ装置３０を通じて、検体容器２００に付された無線タグ３００と交信し、データの送受信を行う。例えば、不変調の搬送波を増幅してアンテナ装置３０から電波（質問波）として放射し、放射された電波の応答範囲の無線タグ３００においてその反射波（応答波）に乗せられた識別コード等の無線タグ３００のタグ情報をアンテナ装置３０で受信し、そのタグ情報を搬送波から復調して、復調されたタグ情報を制御部５１に送信する読取サイクルを行う。
【００２４】
情報処理端末５０は、ＣＰＵ、ＲＯＭ及びＲＡＭ等からなるコンピュータ構成の制御部５１を備える。制御部５１は、アンテナ装置３０を介して検体容器２００に付された無線タグ３００から読み取られた情報に基づいて、検体の入出庫に関するデータ処理を実行する。制御部５１には、バスライン５９を介して、入力部５２、表示部５３、記憶部５４、通信インターフェース５５が接続される。記憶部５４は、ＨＤＤ（Hard disk drive）やＳＳＤ（Solid State Drive）等の不揮発性の記憶媒体を備えた記憶装置である。記憶部５４は、無線通信装置４０、情報処理端末５０及び外部入力制御装置１００の動作に係る各種プログラムや各種データを記憶する。記憶部５４が記憶するデータとしては、例えば、検体を識別する検体コードと患者とを対応付けて登録した検体マスタ等がある。通信インターフェース５５は、外部入力制御装置１００との間で各種データの送受信を行うためのインターフェースである。
【００２５】
外部入力制御装置１００は、ＣＰＵ、ＲＯＭ及びＲＡＭ等から構成されるコンピュータ構成の制御部１３１を備える。制御部１３１は、情報処理端末５０からの指令に基づいて外部入力値変更装置１２０を動作させる外部入力部１３２と、情報処理端末５０との間で各種データの送受信を行うためのインターフェースである通信インターフェース１３３を備えている。
【００２６】
図８は、外部入力値変更装置１２０を示している。ここでは、外部入力制御装置１００が検体ラック２０の上部に位置し、凹部１１２が検体容器２００の上部を覆っている状態を示している。
【００２７】
外部入力値変更装置１２０は、検体容器２００を入力部３４０の位置で周方向に沿って取り囲む金属製の円環部１２１を有している。この円環部１２１は周方向の一部が切欠され、各端部が凹部１１２の内壁面側に設けられ、円環部１２１の径を変化させる作動部１２２に接続されている。作動部１２２は固定端１２２ａと移動端１２２ｂが設けられ、移動端１２２ｂが水平方向に移動することで、円環部１２１が縮径されて一対の外部入力端子３４１，３４２に当接する。この時、一対の外部入力端子３４１，３４２は円環部１２１を介して導通する。移動端１２２ｂを元に戻すことで、円環部１２１は拡径し、非導通となる。すなわち、外部入力値変更装置１２０では、外部入力端子３４１，３４２を導通状態・非導通状態の２値で変化させることが可能となる。
【００２８】
このように構成された物品位置把握システム１０は、次のようにして動作して検体位置を把握する。なお、図９には動作フローの一例、図１０は物品位置把握システム１０動作中のあるタイミングでの無線タグ読取結果を示している。
【００２９】
採血室で検体を予め無線タグ３００が貼付された検体容器２００に収容する。この時、無線タグ３００の識別番号と患者を特定する個人番号とを紐付けて、サーバ（不図示）に入力する。複数の検体容器２００を検体ラック２０の支持部２２に挿入し、分析室に搬送する。
【００３０】
分析室において、外部入力制御装置１００を検体ラック２０に被せる。ここで、使用者が情報処理端末５０の入力部５２に位置把握動作開始を指令して動作を開始する（Ａｃｔ０１）。外部入力制御装置１００によって、外部入力部１３２が動作し、例えばポイント（１，１）の検体容器２００に付された無線タグ３００の入力部３４０へ外部入力（ＯＮ信号の付加）を行う（Ａｃｔ０２）。図８で説明したように、円環部１２１を縮径して外部入力端子３４１，３４２を導通させる。これにより、外部信号は、Ｂａｎｋ０１  ＥＰＣメモリ３２２、又は、Ｂａｎｋ１１のＵＳＥＲメモリ３２４にＯＮ信号として入力される。なお、入力されるのはＯＮ信号であるが、上述したようにポイント（１，１）と関連していることから、間接的な位置情報を付加したこととなる。
【００３１】
次に無線通信装置４０はアンテナ装置３０を介して検体ラック２０にある全ての検体容器２００の無線タグ３００を一括して読取る（Ａｃｔ０３）。
【００３２】
情報処理端末５０は、複数の無線タグ３００の読取結果から外部入力情報がＯＮになっている識別番号（例えば、ＡＡＢＢＣＣＤＤＥＥＦＦ）を抽出し、外部入力制御を行ったポイント（１，１）にこの無線タグ３００があることを導出する（Ａｃｔ０４）。同様にして物品位置把握システム１０はすべてのポイント（１，１）〜（ｍ，ｎ）において無線タグ３００の読取りを行うまで、ポイントを変更（Ａｃｔ０２）して検体位置情報の算出（Ａｃｔ０４）を繰り返す（Ａｃｔ０５）。この時、物品位置把握システム１０は無線タグ３００の読取りを実際に行うことができた数を検体数として積算する。物品位置把握システム１０は、全てのポイントで検体位置情報算出作業が終了すると無線タグ３００の読取りを停止する（Ａｃｔ０６）。
【００３３】
情報処理端末５０は算出した検体位置及び検体数を表示し（Ａｃｔ０７）、動作を終了する（Ａｃｔ０８）。物品位置把握システム１０の使用者は、検体ラック１１上の検体数と表示結果から無線タグ３００の読み落としを把握した場合には、表示結果と検体ラック２０の見比べにより、読み落としている検体容器２００の位置を容易に把握することが出来る。読み落とされた検体容器２００についてのみ、ハンディの無線タグリーダ（不図示）等を用いて再度読み取り動作を行う。このようにして、漏れなく検体容器２００の有無を把握できると共に、検体ラック２０における位置も特定することができる。
【００３４】
以上説明したように、本実施形態に係る物品位置把握システム１０によれば、検体ラック２０に収容された検体容器２００に付された無線タグ３００を一括して読み取るとともに、検体容器２００の検体ラック２０内の位置と読取結果とを紐付けて表示することができるため、検体容器２００に付された無線タグ３００の読み落としを防止でき、検体容器２００の紛失を早期に発見できることから、検体の検査効率を向上させることができる。
【００３５】
このように構成された物品位置把握システム１０は、別の手順で検体位置を把握することも可能である。なお、図１１には動作フローの一例、図１２の（ａ）〜（ｆ）は物品位置把握システム１０動作中のあるタイミングでの無線タグ読取結果を示している。
【００３６】
情報処理端末５０の入力部を通して装置の動作を開始する（Ａｃｔ１１）。外部入力制御装置１００は、例えばｍ＝１の行にあるそれぞれの検体容器２００に対する入力部３４０に対し、外部入力を行い（Ａｃｔ１２）、図１２（ａ）の結果を得る。引き続き、ｍ＝２の場合、ｍ＝３の場合と続け、ｍ＝ｍとなるまで行ごとの読取を続ける（Ａｃｔ１３）。行ごとの読取を終えると、次はｎ＝１の場合、ｎ＝２の場合と続け、ｎ＝ｎとなるまで列ごとの読取を行う。行、列ごとの読取を終えると（Ａｃｔ１４）、読取結果から検体位置を算出する（Ａｃｔ１５）。
【００３７】
識別番号（例えばＡ０００００００９８３２）の無線タグ３００は図１２（ａ）、（ｄ）の結果から、（１，１）の位置で外部入力がＯＮになっており、（１，１）の位置にあることが判る。同様に識別番号（例えばＢ０００００００４８８５）は図１２（ｂ）、（ｆ）の結果から（３，３）の位置に、識別番号（例えばＡＡＢＢＣＣＤＤＥＥＦＦ）は図１２（ｃ）、（ｅ）の結果から（５，２）の位置にあることが把握できる。
【００３８】
その後、無線タグ３００の読み取りを停止し（Ａｃｔ１６）、情報処理端末５０は算出した検体位置及び検体数を表示し（Ａｃｔ１７）、動作を終了する（Ａｃｔ１８）。
【００３９】
このように、検体容器２００の位置の特定の仕方は、列毎や行毎に同時に複数の検体容器２００に対する無線タグ３００の入力部３４０への外部入力を行い、全てが完了してから算出して割り出す方法を用いても良い。
【００４０】
本実施形態に係る物品位置把握システム１０によれば、上述した方法によっても、検体ラック２０に収容された検体容器２００に付された無線タグ３００を一括して読み取るとともに、検体容器２００の検体ラック２０内の位置と読取結果とを紐付けて表示することができるため、検体容器２００に付された無線タグ３００の読み落としを防止でき、紛失を早期に発見できることから、検体の検査効率を向上させることができる。
【００４１】
図１３に示す外部入力値変更装置１２０Ａは、外部入力端子３４１，３４２が検体容器２００の軸方向に離間して設けられている場合に用いられる。すなわち、外部入力値変更装置１２０Ａは、凹部１１２内壁面に設けられたピストン機構１２５と、このピストン機構１２５の先端に設けられた金属板１２６とを備えている。ピストン機構１２５を作動させて金属板１２６を一対の外部入力端子３４１，３４２に当接させることで、一対の外部入力端子３４１，３４２は導通する。ピストン機構１２５を元に戻すことで、非導通となる。すなわち、外部入力値変更装置１２０Ａにおいても、外部入力端子３４１，３４２を導通状態・非導通状態の２値で変化させることが可能となる。
【００４２】
図１４に示す外部入力値変更装置１２０Ｂは、外部入力端子３４１，３４２に照度センサ３５０が接続されている場合に用いられる。すなわち、外部入力値変更装置１２０Ｂにフォトダイオード（光源）１２７を設け、フォトダイオード１２７のＯＮ／ＯＦＦによって照度センサ３５０の受信値を変更する。照度センサ３５０の他、電磁リレーになっており、磁石の離接や電磁石のＯＮ／ＯＦＦによって導通状況を変更する構造を用いてもよい。
【００４３】
図１５は、外部入力制御装置１００の別の構成例であって、無線通信装置４０とアンテナ装置３０と外部入力制御装置１００が一体型となった例を示している。本実施形態に係る物品位置把握システム１０においても、図１に示した物品位置把握システム１０と同様の効果を得ることができる。
【００４４】
図１６は、外部入力制御装置１００の別の構成例であって、外部入力制御装置１００と検体ラック２０とが一体型となったものを示している。この構成例では、検体ラック２０から検体容器２００の移し替え作業は必要であるが、外部入力制御装置１００を被せる動作は不要となり、図１に示した物品位置把握システム１０と同様の効果を得ることができる。
【００４５】
図１７は、外部入力制御装置１００の別の構成例であって、アンテナ装置３０、検体ラック２０、外部入力制御装置１００が一体型となった例である。この構成例では、検体ラック２０から検体容器２００の移し替え作業は必要であるが、外部入力制御装置１００を被せる動作は不要となり、図１に示した物品位置把握システム１０と同様の効果を得ることができる。
【００４６】
なお、本実施形態では、読み落とした無線タグに紐付けられた検体の特定を表示結果とラック上の検体位置とを見比べることでシステム使用者が行うシステムとしているが、例えばカメラ等で写した検体ラック上の検体位置と検体位置把握システムの結果とを紐づけ、画像認識により読み落とした検体の位置を表示部へ表示する仕組みとしても良い。また、読み落とした検体をシステムに登録するため、無線通信装置から別途検体読取用のハンディアンテナ等を接続できるような仕組みを設けても良い。また、本発明では検体について説明したが、これに限定されるものではなく、例えば宝飾品の管理に使用しても良い。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる
【符号の説明】
【００４８】
１０…物品位置把握システム、２０…検体ラック、２２…支持部、３０…アンテナ装置、４０…無線通信装置、４２…リーダライタ部、５０…情報処理端末、１００…外部入力制御装置、１１２…凹部、１２０，１２０Ａ，１２０Ｂ…外部入力値変更装置、２００…検体容器、３００…無線タグ、３４０…入力部、３４１…外部入力端子、３４２…外部入力端子。
【図１】
2018028488.tif 000003
【図２】
2018028488.tif 000004
【図３】
2018028488.tif 000005
【図４】
2018028488.tif 000006
【図５】
2018028488.tif 000007
【図６】
2018028488.tif 000008
【図７】
2018028488.tif 000009
【図８】
2018028488.tif 000010
【図９】
2018028488.tif 000011
【図１０】
2018028488.tif 000012
【図１１】
2018028488.tif 000013
【図１２】
2018028488.tif 000014
【図１３】
2018028488.tif 000015
【図１４】
2018028488.tif 000016
【図１５】
2018028488.tif 000017
【図１６】
2018028488.tif 000018
【図１７】
2018028488.tif 000019